(57)【要約】【課題】寄生容量の影響を抑制することの可能な環境検出装置、及び環境検出装置における回路調整方法を提供する。【解決手段】環境検出装置１は、信号発生器１０と、共振回路１５と、を備える。共振回路１５は、互いに直列接続された、第１インダクタＬ１と、第１及び第２容量Ｃ１、Ｃ２と、サーミスタＲ１と、を有する。共振回路１５において、第１容量Ｃ１の信号発生器１０側の電極と、第２容量Ｃ２の信号発生器１０側の電極と、の間に、第２インダクタＬ２及び第３容量Ｃ３が互いに並列接続されると共に、寄生容量である第４容量Ｃ４が付加される。Ｌ１、Ｌ２、Ｃ３の少なくともいずれかが可変であり、かつ、【数２１】2020067336.tif 000023とすることが可能である。【選択図】図１
2020067336.tif 000002
【特許請求の範囲】
【請求項１】
信号発生器と、
前記信号発生器に接続された少なくとも１つの共振回路と、を備え、
前記共振回路は、互いに直列接続された、第１インダクタと、第１及び第２容量と、周辺環境によってインピーダンスが変化する回路素子と、を有し、
前記第１容量の前記信号発生器とは反対側の電極と、前記第２容量の前記信号発生器とは反対側の電極と、の間に、前記回路素子が接続され、
前記共振回路において、前記第１容量の前記信号発生器側の電極と、前記第２容量の前記信号発生器側の電極と、の間に、第２インダクタ及び第３容量が互いに並列接続され、
前記第１インダクタのインダクタンス値をＬ１、前記第２インダクタのインダクタンス値をＬ２、前記第１容量の容量値をＣ１、前記第２容量の容量値をＣ２、前記第３容量の容量値をＣ３、第２インダクタ及び第３容量と並列に付加される寄生容量である第４容量の容量値をＣ４とした場合に、Ｌ１、Ｌ２、Ｃ３の少なくともいずれかが可変であり、かつ、
【数１８】
2020067336.tif 000020
とすることが可能である、環境検出装置。
【請求項２】
前記信号発生器から前記共振回路の共振周波数の電圧を出力した場合の前記信号発生器の出力電圧値をＶ、出力電流値をＩ、前記回路素子のインピーダンス値をＲ１とした場合に、前記式（ａ）が成立した状態において、Ｒ１＝Ｖ／Ｉである、請求項１に記載の環境検出装置。
【請求項３】
前記共振回路の共振周波数の交流信号を前記信号発生器から出力したときの前記信号発生器の電圧及び電流によって前記回路素子の周辺環境を検出する、請求項１又は２に記載の環境検出装置。
【請求項４】
前記信号発生器側から見たインピーダンスが極小となる周波数の交流信号を前記信号発生器から出力したときの前記信号発生器の電圧及び電流によって前記回路素子の周辺環境を検出する、請求項１又は２に記載の環境検出装置。
【請求項５】
前記演算部は、前記信号発生器の電圧と、前記第２インダクタに流れる電流と、の位相差を基に前記共振回路の共振周波数を導出する演算部を備える、請求項１から４のいずれか一項に記載の環境検出装置。
【請求項６】
請求項１から５のいずれか一項に記載の環境検出装置における回路調整方法であって、
前記環境検出装置から前記第１及び第２容量、前記回路素子、前記第２インダクタ、並びに前記第３容量を切り離した第１状態における共振周波数ｆp1を測定するステップと、
前記第１状態に対して前記第１及び第２容量並びに前記回路素子を接続した第２状態における共振周波数ｆp2を測定するステップと、
【数１９】
2020067336.tif 000021
で示される前記第１及び第２容量の合成容量値Ｃ12を算出するステップと、
【数２０】
2020067336.tif 000022
で示されるｆp3calを算出するステップと、
前記第２状態に対して前記第３容量を接続した第３状態における共振周波数ｆp3を、Ｃ３を変化させて測定し、ｆp3cal＝ｆp3となるようにＣ３を調整するステップと、を備える、環境検出装置における回路調整方法。
【発明の詳細な説明】
【技術分野】
【０００１】
本発明は、温度等の環境を検出する環境検出装置、及び環境検出装置における回路調整方法に関する。
【背景技術】
【０００２】
下記特許文献１は、高周波加熱装置を開示する。この高周波加熱装置では、感温用のコンデンサとコイルアンテナとで共振回路を構成したワイヤレス温度プローブを被加熱物に挿入し、前記ワイヤレス温度プローブの温度に対応した共振周波数を包含した掃引信号を送信アンテナより送信し、その信号を前記ワイヤレス温度プローブを挟んで接地した受信アンテナで受けて共振点をとらえ、被加熱物の温度を検知する。
【先行技術文献】
【特許文献】
【０００３】
【特許文献１】特開昭６１−８８４８５号公報
【発明の概要】
【発明が解決しようとする課題】
【０００４】
特許文献１の技術では、掃引信号発生源と送信アンテナとを接続する配線に寄生容量が付くと、共振周波数がずれて、温度検出の誤差になるという問題があった。
【０００５】
本発明はこうした状況を認識してなされたものであり、その目的は、寄生容量の影響を抑制することの可能な環境検出装置、及び環境検出装置における回路調整方法を提供することにある。
【課題を解決するための手段】
【０００６】
本発明のある態様は、環境検出装置である。この環境検出装置は、
信号発生器と、
前記信号発生器に接続された少なくとも１つの共振回路と、を備え、
前記共振回路は、互いに直列接続された、第１インダクタと、第１及び第２容量と、周辺環境によってインピーダンスが変化する回路素子と、を有し、
前記第１容量の前記信号発生器とは反対側の電極と、前記第２容量の前記信号発生器とは反対側の電極と、の間に、前記回路素子が接続され、
前記共振回路において、前記第１容量の前記信号発生器側の電極と、前記第２容量の前記信号発生器側の電極と、の間に、第２インダクタ及び第３容量が互いに並列接続され、
前記第１インダクタのインダクタンス値をＬ１、前記第２インダクタのインダクタンス値をＬ２、前記第１容量の容量値をＣ１、前記第２容量の容量値をＣ２、前記第３容量の容量値をＣ３、第２インダクタ及び第３容量と並列に付加される寄生容量である第４容量の容量値をＣ４とした場合に、Ｌ１、Ｌ２、Ｃ３の少なくともいずれかが可変であり、かつ、
【数１】
2020067336.tif 000003
とすることが可能である。
【０００７】
前記信号発生器から前記共振回路の共振周波数の電圧を出力した場合の前記信号発生器の出力電圧値をＶ、出力電流値をＩ、前記回路素子のインピーダンス値をＲ１とした場合に、前記式（ａ）が成立した状態において、Ｒ１＝Ｖ／Ｉであってもよい。
【０００８】
前記共振回路の共振周波数の交流信号を前記信号発生器から出力したときの前記信号発生器の電圧及び電流によって前記回路素子の周辺環境を検出してもよい。
【０００９】
前記信号発生器側から見たインピーダンスが極小となる周波数の交流信号を前記信号発生器から出力したときの前記信号発生器の電圧及び電流によって前記回路素子の周辺環境を検出してもよい。
【００１０】
前記演算部は、前記信号発生器の電圧と、前記第２インダクタに流れる電流と、の位相差を基に前記共振回路の共振周波数を導出する演算部を備えてもよい。
【００１１】
本発明のもう１つの態様は、前記環境検出装置における回路調整方法であって、
前記環境検出装置から前記第１及び第２容量、前記回路素子、前記第２インダクタ、並びに前記第３容量を切り離した第１状態における共振周波数ｆp1を測定するステップと、
前記第１状態に対して前記第１及び第２容量並びに前記回路素子を接続した第２状態における共振周波数ｆp2を測定するステップと、
【数２】
2020067336.tif 000004
で示される前記第１及び第２容量の合成容量値Ｃ12を算出するステップと、
【数３】
2020067336.tif 000005
で示されるｆp3calを算出するステップと、
前記第２状態に対して前記第３容量を接続した第３状態における共振周波数ｆp3を、Ｃ３を変化させて測定し、ｆp3cal＝ｆp3となるようにＣ３を調整するステップと、を備える。
【００１２】
なお、以上の構成要素の任意の組合せ、本発明の表現を方法やシステムなどの間で変換したものもまた、本発明の態様として有効である。
【発明の効果】
【００１３】
本発明によれば、寄生容量の影響を抑制することの可能な環境検出装置、及び環境検出装置における回路調整方法を提供することができる。
【図面の簡単な説明】
【００１４】
【図１】本発明の実施の形態に係る環境検出装置１の概略回路図。
【図２】環境検出装置１における、信号発生器１０の出力する電圧の周波数と、信号発生器１０に流れる電流（電流検出手段１１の検出する電流値）と、の関係を示す、シミュレーションによる特性図。
【図３】環境検出装置１の第２インダクタＬ２に流れる電流の周波数特性を示す、シミュレーションによるグラフ。
【図４】環境検出装置１において、サーミスタＲ１の抵抗値を１ｋΩとし、第３容量Ｃ３の容量値Ｃ３を変化させた場合における、信号発生器１０側から見たインピーダンスの測定値の変化を示す、シミュレーションによるグラフ。
【図５】環境検出装置１から第１容量Ｃ１、第２容量Ｃ２、サーミスタＲ１、第２インダクタＬ２、及び第３容量Ｃ３を切り離した第１状態の回路図。
【図６】図５の回路における、信号発生器１０の出力する電圧の周波数と、信号発生器１０に流れる電流と、の関係を示す、シミュレーションによる特性図。
【図７】図５に示す第１状態の回路に対して第１容量Ｃ１、第２容量Ｃ２、及びサーミスタＲ１を接続した第２状態の回路図。
【図８】図７の回路における、信号発生器１０の出力する電圧の周波数と、信号発生器１０に流れる電流と、の関係を示す、シミュレーションによる特性図。
【図９】図７に示す第２状態の回路に対して第３容量Ｃ３を接続した第３状態の回路図。
【図１０】図９の回路における、信号発生器１０の出力する電圧の周波数と、信号発生器１０に流れる電流と、の関係を示す、シミュレーションによる特性図。
【図１１】図９に示す第３状態の回路に対して第２インダクタＬ２を接続した第４状態の回路図。
【図１２】図１１の回路における、信号発生器１０の出力する電圧の周波数と、信号発生器１０に流れる電流と、の関係を示す、シミュレーションによる特性図。
【図１３】第１容量Ｃ１の電極間に高誘電率部３１、３２を設けた場合の第１容量Ｃ１近傍の概略断面図。
【発明を実施するための形態】
【００１５】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１６】
図１は、本発明の実施の形態に係る環境検出装置１の概略回路図である。環境検出装置１は、信号発生器１０と、電流検出手段１１と、コントローラ１２と、共振回路１５と、を備える。信号発生器１０は、出力電圧の周波数が可変である。信号発生器１０の出力端子間に、共振回路１５及び電流検出手段１１が設けられる。電流検出手段１１は、シャント抵抗であってもよいし、非接触電流センサであってもよい。演算部としてのコントローラ１２は、マイコン（マイクロコントローラ）等を含み、各種演算処理を行うと共に、信号発生器１０の出力電圧の周波数を制御する。
【００１７】
共振回路１５は、互いに直列接続された、第１インダクタＬ１と、第１容量Ｃ１と、サーミスタＲ１と、第２容量Ｃ２と、を有する。また、共振回路１５において、第１容量Ｃ１の信号発生器１０側の電極と、第２容量Ｃ２の信号発生器１０側の電極と、の間に、第２インダクタＬ２及び第３容量Ｃ３が互いに並列接続される。第４容量Ｃ４は、例えば配線に付加された寄生容量であって、第１容量Ｃ１の信号発生器１０側の電極と、第２容量Ｃ２の信号発生器１０側の電極と、の間に寄生する。例えば信号発生器１０と第１容量Ｃ１及び第２容量Ｃ２とを接続する配線にシールド線を使用すると、配線に寄生容量が付加されて測定の誤差の原因となる。サーミスタＲ１は、周辺環境によってインピーダンスが変化する回路素子の例示であり、ここでは温度によって抵抗値が変化する受動素子（温度検出素子）である。サーミスタＲ１は、第１容量Ｃ１の信号発生器１０とは反対側の電極と、第２容量Ｃ２の信号発生器１０とは反対側の電極と、の間に接続される。
【００１８】
環境検出装置１において、第１容量Ｃ１及び第２容量Ｃ２の信号発生器１０側の電極（第１電極）、並びに当該電極同士の間の回路（信号発生器１０、電流検出手段１１、第１インダクタＬ１、第２インダクタＬ２、第３容量Ｃ３、第４容量Ｃ４）及びコントローラ１２は、一次側回路５を構成する。第１容量Ｃ１及び第２容量Ｃ２の信号発生器１０とは反対側の電極（第２電極）、並びに当該電極同士の間の回路（サーミスタＲ１）は、二次側回路７を構成する。一次側回路５及び二次側回路７は、互いに配線を渡すことのできない第１空間及び第２空間に分けて配置される。第１空間は、非検出対象の空間であり、ケーブルで電源を取ることの可能な通常空間である。第２空間は、検出対象となる環境を有する空間であり、第１空間と仕切り部材で仕切られた閉鎖空間であってもよいし、樹脂やゴム等の検出対象物の内部であってもよい。第１容量Ｃ１及び第２容量Ｃ２の、信号発生器１０側の電極と、信号発生器１０とは反対側の電極とは、第１空間及び第２空間の境界を挟んで互いに対向して容量結合する。
【００１９】
各素子の定数の一例を挙げると、第１インダクタＬ１のインダクタンス値は１０ｍＨ、第１容量Ｃ１及び第２容量Ｃ２の容量値は４０ｐＦ、サーミスタＲ１の２５℃における抵抗値は１ｋΩ、第２インダクタＬ２のインダクタンス値は１ｍＨ、第３容量Ｃ３の容量値は１０１ｐＦ、第４容量Ｃ４の容量値は９９ｐＦである。以下において、各素子の定数は、各素子に付した符号によって示す。また、第１容量Ｃ１及び第２容量Ｃ２の合成容量値をＣ12とする。Ｌ１、Ｌ２、Ｃ３の少なくともいずれかは可変である。環境検出装置１において、下記の関係が満たされるように、Ｌ１、Ｌ２、Ｃ３の少なくともいずれかが調整される。
【数４】
2020067336.tif 000006
Ｃ１、Ｃ２、Ｃ４が未知数であっても、式（１）の関係を成立させることができる。これについては後述する。
【００２０】
式（１）は、信号発生器１０側から見たインピーダンスＺが、共振回路１５の共振周波数ｆｐにおいて、
Ｚ＝Ｒ１  ・・・（２）
となるための条件である。この条件は、第２インダクタＬ２、第３容量Ｃ３、及び第４容量Ｃ４からなる並列共振回路のインピーダンスが実質無限大（実質開放）となる共振周波数ｆ１（下記式（３））と、第１インダクタＬ１、第１容量Ｃ１、サーミスタＲ１、及び第２容量Ｃ２からなる直列共振回路のインピーダンスが実質Ｒ１となる共振周波数ｆ２（下記式（４））と、が一致すること（下記式（５））である。
【数５】
2020067336.tif 000007
【数６】
2020067336.tif 000008
【数７】
2020067336.tif 000009
式（５）を変形することで、式（１）が導出される。
【００２１】
式（１）が成立するとき、共振回路１５のインピーダンスＺは、共振回路１５の共振周波数ｆｐにおいて、Ｒ１と実質的に一致する（式（２））。このため、信号発生器１０から共振周波数ｆｐの交流信号を出力した場合における信号発生器１０の電圧Ｖ及び電流Ｉを用いて、
Ｒ１＝Ｖ／Ｉ  ・・・（６）
よりＲ１を導出できる。導出したＲ１により、サーミスタＲ１の位置における現在の温度を検出することができる。温度が高いほどサーミスタＲ１の抵抗値は低くなることから、共振周波数ｆｐにおいて、信号発生器１０に流れる電流は、温度が高いほど大きくなる。
【００２２】
図２は、環境検出装置１における、信号発生器１０の出力する電圧の周波数と、信号発生器１０に流れる電流（電流検出手段１１の検出する電流値）と、の関係を示す、シミュレーションによる特性図である。各素子の定数は、上記例示の値とした。図２に示すように、信号発生器１０に流れる電流は、信号発生器１０の出力する電圧の周波数が共振回路１５の共振周波数ｆｐのときに極大値となる。すなわち、環境検出装置１において、信号発生器１０側から見たインピーダンスＺは、同電圧の周波数が共振周波数ｆｐのときに極小値となる。
【００２３】
図３は、環境検出装置１の第２インダクタＬ２に流れる電流の周波数特性を示す、シミュレーションによるグラフである。第２インダクタＬ２に流れる電流は、共振回路１５の共振周波数ｆｐにおいて極大値となり、共振周波数ｆｐを境界として位相が反転する。第２インダクタＬ２に流れる電流の位相は、共振周波数ｆｐより低い周波数では信号発生器１０の出力電圧に対して９０°進み、共振周波数ｆｐでは信号発生器１０の出力電圧と一致し、共振周波数ｆｐより高い周波数では信号発生器１０の出力電圧に対して９０°遅れる。コントローラ１２は、信号発生器１０の出力電圧と第２インダクタＬ２に流れる電流との位相差が０°になる周波数をバイナリサーチすることにより、周波数掃引と比較して高速に共振周波数ｆｐを導出できる。高速化を要さない場合には、周波数掃引により共振周波数ｆｐを導出してもよい。
【００２４】
図４は、環境検出装置１において、サーミスタＲ１の抵抗値を１ｋΩとし、第３容量Ｃ３の容量値Ｃ３を変化させた場合における、信号発生器１０側から見たインピーダンスの測定値の変化を示す、シミュレーションによるグラフである。横軸は、式（１）の両辺の比であり、Ｃ３を変化させることで変化させた。横軸の「１」は、式（１）が成立する場合に対応する。図４より、式（１）が成立する場合に、信号発生器１０側から見たインピーダンスＺがＲ１（１ｋΩ）と一致することが確認できた。
【００２５】
以下、式（１）の関係が成立するようにＣ３を調整する手順（環境検出装置１における回路調整方法）の一例を説明する。図５、図７、図９、図１１において、電流検出手段１１及びコントローラ１２の図示は省略している。
【００２６】
図５に示す、環境検出装置１から第１容量Ｃ１、第２容量Ｃ２、サーミスタＲ１、第２インダクタＬ２、及び第３容量Ｃ３を切り離した第１状態の回路を準備する。第１状態の回路の共振周波数ｆp1を測定する。図６に示す結果では、ｆp1は159.15218KHzと導出される。図５に示す第１状態の回路に対して第１容量Ｃ１、第２容量Ｃ２、及びサーミスタＲ１を接続した第２状態の回路（図７）を準備する。第２状態の回路の共振周波数ｆp2を測定する。図８の結果では、ｆp2は145.29362KHzと導出される。
【００２７】
【数８】
2020067336.tif 000010
で示される第１容量Ｃ１及び第２容量Ｃ２の合成容量値Ｃ12を算出する。式（７）の導出過程は後述する。Ｃ12は、例えば、
【数９】
2020067336.tif 000011
と計算される。
【数１０】
2020067336.tif 000012
で示されるｆp3calを算出する。式（９）の導出過程は後述する。ｆp3calは、例えば、
【数１１】
2020067336.tif 000013
と計算される。
【００２８】
図７に示す第２状態の回路に対して第３容量Ｃ３を接続した第３状態の回路（図９）を準備する。第３状態の回路の共振周波数ｆp3を、Ｃ３を変化させて測定し、ｆp3cal＝ｆp3となるようにＣ３を調整する。第３容量Ｃ３は、端子に電圧を印加することで静電容量を変化させることが可能なバリアブルキャパシタであるとよい。Ｃ３の調整後の第３状態の回路における、信号発生器１０の出力する電圧の周波数と、信号発生器１０に流れる電流と、の関係は図１０のようになる。以上で環境検出装置１における回路調整が完了する。その後、図９に示す第３状態の回路に対して第２インダクタＬ２を接続した第４状態の回路（図１１）を準備する。図１１は、図１と同じ回路を簡略的に図示したものである。信号発生器１０から共振周波数ｆｐの電圧Ｖを出力し、そのときの信号発生器１０の出力電流Ｉを測定し、上記式（６）（Ｒ１＝Ｖ／Ｉ）よりサーミスタＲ１の抵抗値Ｒ１を算出する。Ｒ１は、例えば、Ｒ１＝１Ｖ／1.0029mA＝0.997ＫΩ≒１ＫΩと計算される。
【００２９】
式（７）の導出過程は次のとおりである。図５に示す第１状態の回路の共振周波数ｆp1は、
【数１２】
2020067336.tif 000014
であり、これを変形すると、
【数１３】
2020067336.tif 000015
となる。一方、図７に示す第２状態の回路の共振周波数ｆp2は、
【数１４】
2020067336.tif 000016
であり、これを変形すると、
【数１５】
2020067336.tif 000017
となる。式（１４）に式（１２）のＣ４を代入すれば、式（７）が導出される。
【００３０】
式（９）の導出過程は次のとおりである。図９に示す第３状態の回路の共振周波数ｆp3calは、
【数１６】
2020067336.tif 000018
で示される。ここで、式（１）が成立する場合、式（１）より、
【数１７】
2020067336.tif 000019
であり、式（１５）に式（１６）を代入すると、式（９）が導出される。
【００３１】
本実施の形態によれば、下記の効果を奏することができる。
【００３２】
(1) Ｌ１、Ｌ２、Ｃ３の少なくともいずれかが調整し、式（１）を満たすことができ、そうすることで寄生容量である第４容量Ｃ４の影響を実質的に受けることなくサーミスタＲ１の抵抗値を算出し、サーミスタＲ１の位置における温度を検出することができる。すなわち、温度検出における寄生容量の影響を抑制することができる。
【００３３】
(2) 検出対象の環境を有する空間に配置される二次側回路７は、受動素子（受動部品）のみで構成され、半導体素子や電源を含まない。このため、環境検出装置１は、検出対象が高温となる場合でも好適に使用可能である。
【００３４】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３５】
図１３に示すように、第１容量Ｃ１の信号発生器１０側の電極である第１電極Ｃ１−１と、信号発生器１０とは反対側の電極である第２電極Ｃ１−２と、の間に、高誘電率部３１、３２を設けてもよい。図示は省略したが、第２容量Ｃ２の第１及び第２電極の間にも、同様に高誘電率部を設けてもよい。高誘電率部３１、３２の一方のみを設けてもよい。高誘電率部３１は、第１電極Ｃ１−１と、第１及び第２空間を隔てる境界部３５と、の間に設けられ、第１電極Ｃ１−１の第２電極Ｃ１−２側を好ましくは全面的に覆う。高誘電率部３２は、第２電極Ｃ１−２と境界部３５との間に設けられ、第２電極Ｃ１−２の第１電極Ｃ１−１側を好ましくは全面的に覆う。ここでは、第２空間は、検出対象物である樹脂やゴム等の粘弾性材の内部であり、高誘電率部３２は、第２空間を成す粘弾性材に当該粘弾性材よりも誘電率の高い物質、例えばチタン酸バリウム等からなるフィラーを混ぜ込んだものである。高誘電率部３１も、高誘電率部３２と同様に構成できる。電極間に高誘電率部を設けて第１容量Ｃ１及び第２容量Ｃ２の容量値を高めることで、寄生容量である第４容量Ｃ４による測定への影響を抑制できる。第１容量Ｃ１及び第２容量Ｃ２の一方の容量値のみを高める場合でも第４容量Ｃ４による測定への影響を抑制する効果が得られるが、両方の容量値を高めることでその効果を高めることができる。
【００３６】
実施の形態の環境検出装置において、周辺環境は温度に限定されず、例えば湿度又は圧力であってもよい。すなわち、周辺環境によってインピーダンスが変化する回路素子は、サーミスタＲに限定されず、湿度検出素子（湿度センサ）又は圧力検出素子（圧力センサ）であってもよい。信号発生器１０は、共振周波数ｆｐを含む所定周波数範囲の全体において強度を有する信号（例えばホワイトノイズ）を共振回路１５に印加可能であってもよい。この場合、コントローラ１２では、信号発生器１０の出力電流の周波数特性を例えばＦＦＴ（高速フーリエ変換）により導出し、出力電流が極大となる周波数を共振周波数ｆｐとして迅速に導出できる。
【符号の説明】
【００３７】
１  環境検出装置、１０  信号発生器、１１  電流検出手段、１２  コントローラ（演算部）、１５  共振回路、３１、３２  高誘電率部、３５  境界部
【図１】
2020067336.tif 000024
【図２】
2020067336.tif 000025
【図３】
2020067336.tif 000026
【図４】
2020067336.tif 000027
【図５】
2020067336.tif 000028
【図６】
2020067336.tif 000029
【図７】
2020067336.tif 000030
【図８】
2020067336.tif 000031
【図９】
2020067336.tif 000032
【図１０】
2020067336.tif 000033
【図１１】
2020067336.tif 000034
【図１２】
2020067336.tif 000035
【図１３】
2020067336.tif 000036